(57)【要約】【課題】快適性の向上及び健康の安全性の向上を図るとともに、冷却効率または暖房効率を向上することのできる空気調和機を提供する。【解決手段】室内機１の上面に形成された吸込口４から室内の空気が取り入れられ、室内熱交換器３と熱交換した後、吹出口５の第１開口部５ａから室内に送出される。所定の時期になると、横ルーバ１１ａ、１１ｂが回動して第１開口部５ａが閉塞され、回動板１４、１５が回動して第２開口部５ｂが開放される。これにより、送風経路６を流通する調整空気は分岐通路１３を流通して第２開口部５ｂから送出され、上方に導かれる。従って、使用者に常に冷たい風や暖かい風が当たることを防止するとともに、フロントパネル３に吸込口が設けられないのでショートサーキットを防止することができる。【選択図】図２
2006226672.tif 000002
【特許請求の範囲】
【請求項１】
室内の壁面に取り付けて、吸込口から取り入れた空気を調和して下部に設けた吹出口から下方及び上方に切り替えて送出する空気調和機において、前記吹出口よりも上方の前面側を遮蔽したことを特徴とする空気調和機。
【請求項２】
室内の壁面に取り付けて、吸込口から取り入れた空気を調和して下部に設けた吹出口から下方及び上方に切り替えて送出する空気調和機において、前記吹出口よりも上方の前面側に前記吸込口を設け、垂直面に投影して該吸込口の開口面積を前記吹出口よりも上方の投影面積の２０％以下にしたことを特徴とする空気調和機。
【請求項３】
室内の壁面に取り付けて、吸込口から取り入れた空気を調和して下部に設けた吹出口から下方及び上方に切り替えて送出する空気調和機において、垂直面に投影して、前記吹出口よりも上方の長さを１００％とし、前面側の上から５０％よりも下方を遮蔽したことを特徴とする空気調和機。
【請求項４】
空気調和機の本体部を保持するキャビネットと、空気調和機本体の前面を覆うフロントパネルとを有し、前記吸込口は前記キャビネットまたは前記フロントパネルに設けた開口部から成ることを特徴とする請求項２または請求項３に記載の空気調和機。
【請求項５】
空気調和機の本体部を保持するキャビネットと、空気調和機本体の前面を覆うフロントパネルとを有し、前記吸込口は前記フロントパネルと前記キャビネットの間に設けた隙間から成ることを特徴とする請求項２または請求項３に記載の空気調和機。
【請求項６】
前記フロントパネルに結露防止手段を設けたことを特徴とする請求項４または請求項５に記載の空気調和機。
【請求項７】
空気調和機本体の前面を覆うフロントパネルに結露防止手段を設けたことを特徴とする請求項１〜請求項３のいずれかに記載の空気調和機。
【請求項８】
室内の壁面に取り付けて、吸込口から取り入れた空気を調和して下部に設けた吹出口から下方及び上方に切り替えて送出する空気調和機において、前記吹出口の一部を覆って前記吹出口から送出される空気の向きを上下方向に可変する案内部材を備え、前記案内部材に結露防止手段を設けたことを特徴とする空気調和機。
【請求項９】
前記吹出口から上方に調整空気を送出して冷房運転または除湿運転を行うことを特徴とする請求項１〜請求項８のいずれかに記載の空気調和機。
【発明の詳細な説明】
【技術分野】
【０００１】
本発明は、吸い込んだ空気を調和して送出する空気調和機に関する。
【背景技術】
【０００２】
図２６は従来の空気調和機の室内機を示す概略側面断面図である。空気調和機の室内機１は、キャビネット２により本体部が保持されており、前面には吸込口４が設けられたフロントパネル３が着脱自在に取り付けられている。キャビネット２は後方側面に爪部（不図示）が設けられており、室内の壁に取り付けられた取付板に該爪部を嵌合することにより支持される。フロントパネル３の下端部とキャビネット２の下端部との間隙には、室内機１の幅方向に延びる略矩形の吹出口５が形成されている。
【０００３】
室内機１の内部には、吸込口４から吹出口５に連通する送風経路６が形成されている。送風経路６内のキャビネット２の前方には空気を送出する送風ファン７が配されている。送風ファン７として、例えばクロスフローファン等を用いることができる。
【０００４】
フロントパネル３に対向する位置には、吸込口４を経て吸い込まれた空気に含まれる塵埃を捕集・除去するエアフィルタ８が設けられている。送風経路６中の送風ファン７とエアフィルタ８との間には、室内熱交換器９が配置されている。室内熱交換器９は圧縮機（不図示）に接続されており、圧縮機の駆動により冷凍サイクルが運転される。冷凍サイクルの運転によって冷房時には室内熱交換器９が周囲温度よりも低温に冷却される。また、暖房時には、室内熱交換器９が周囲温度よりも高温に加熱される。
【０００５】
室内熱交換器９の前後の下部には冷房または除湿時に室内熱交換器９から落下した結露を捕集するドレンパン１０が設けられている。送風経路６内の吹出口５の近傍には、外部に臨んで垂直方向の吹出角度を略水平乃至下方向に変更可能な横ルーバ１１ａ、１１ｂが設けられている。横ルーバ１１ａ、１１ｂの奥側には左右方向の吹出角度を変更可能な縦ルーバ１２が設けられている。
【０００６】
上記構成の空気調和機において、空気調和機の運転を開始すると、送風ファン７が回転駆動され、室外機（不図示）からの冷媒が室内熱交換器９へ流れて冷凍サイクルが運転される。これにより、室内機１内には吸込口４から空気が吸い込まれ、エアフィルタ８によって空気中に含まれる塵埃が除去される。
【０００７】
室内機１内に取り込まれた空気は室内熱交換器９と熱交換し、冷却または加熱される。そして、送風経路６を通って縦ルーバ１２及び横ルーバ１１ａ、１１ｂによって左右方向及び上下方向に向きを規制されて吹出口５から下方に向けて室内に送出される。
【０００８】
また、空気調和機の運転の開始直後は速やかに室内の空気を循環させる必要がある。このため、送風ファン７の回転速度を高くして室内熱交換器９で熱交換された空気は吹出口５から勢いよく送出される。そして、室温と設定温度との温度差が小さくなると、送風ファン７の調整により徐々に送風量が低下する。これにより、きめ細かに室内が均一な温度分布に形成されるようになっている。
【特許文献１】特開平１０−０１９３００号公報
【特許文献２】実願昭６０−１８０３５２号
【特許文献３】特開２０００−１２１０９４号公報
【特許文献４】特開昭６２−１９４１５８号公報
【特許文献５】特開昭６２−１２５２４６号公報
【特許文献６】特開平０８−１６６１５６号公報
【発明の開示】
【発明が解決しようとする課題】
【０００９】
しかしながら、上記の従来の空気調和機によると、空気調和機は通常、使用者の身長よりも高い位置に設置され、吹出口５から略水平方向乃至下方向に送風される。このため、設定温度付近に達した状態で送風を継続すると使用者に常に冷たい風や暖かい風が当たることになる。従って、使用者に不快感を与える問題があった。また、除湿運転時や冷房運転時では局所的に使用者の体温を低下させて健康に害を与える問題もあった。
【００１０】
これらの問題を解決するために、吹出口から上方に調和空気を送出できる空気調和機が研究開発されている。図２７はこの空気調和機の室内機を示す概略側面断面図であり、図２６と同一の部分には同一の符号を付している。室内機１の吹出口５は第１開口部５ａと第２開口部５ｂとを有している。第１開口部５ａは送風経路６の終端に下方に臨んで配されている。
【００１１】
第２開口部５ｂは送風経路６から上方に傾斜して分岐する分岐通路１３により送風経路６と連通している。分岐通路１３の両端には、回動軸１４ａ、１５ａでフロントパネル３に枢支される回動板１４、１５が設けられている。回動板１５により分岐通路１３を閉じると、回動板１５が送風経路６の内壁面を形成して気流を案内する。
【００１２】
空気調和機の運転を開始すると、吸込口４から室内機１内に取り込まれた空気は室内熱交換器９と熱交換し、冷却または加熱される。そして、送風経路６を通って縦ルーバ１２及び横ルーバ１１ａ、１１ｂによって左右及び上下方向に向きを規制されて吹出口５から矢印Ａ１に示すように第１開口部５ａから略水平方向乃至下方向に向けて室内に送出される。
【００１３】
また、空気調和機の運転の開始直後は速やかに室内の空気を循環させる必要がある。このため、送風ファン７の回転速度を高くして室内熱交換器９で熱交換された空気は吹出口５から勢いよく送出される。室温と設定温度との温度差が小さくなったことを温度センサ（不図示）により検知すると、送風ファン７の調整により徐々に送風量が低下する。
【００１４】
そして、図２８に示すように、横ルーバ１１ａ、１１ｂが回動して第１開口部５ａが閉塞される。同時に、回動板１４、１５が回動して第２開口部５ｂ及び分岐通路１３の分岐部分が開放される。これにより、送風経路６を流通する調整空気が分岐通路１３を流通して第２開口部５ｂから送出され、矢印Ａ２に示すように上方に導かれる。
【００１５】
従って、使用者に常に冷たい風や暖かい風が当たることがなく、使用者の不快感を防止して快適性を向上することができる。更に、冷房時には局所的に使用者の体温を低下させることがなく健康上の安全性を向上することができるようになっている。
【００１６】
しかしながら、上記の空気調和機によると、第２開口部５ｂから上方に送出された調和空気が、矢印Ａ３に示すようにフロントパネル３に設けられた吸込口４から室内機１内に取り込まれ、所謂ショートサーキットが生じる。このため、空気調和機の冷却効率または暖房効率を低下させる問題があった。
【００１７】
更に、冷房運転時や除湿運転時には第２開口部５ｂから送出された冷気が室内熱交換器９を通過するため、室内熱交換器９内の冷媒は充分な熱を吸収することができない。このため、室内熱交換器９の温度が通常時に比して低下して結露の増加及び結露水の凍結が発生する。
【００１８】
冷房運転または除湿運転を継続すると室内熱交換器９の表面に氷が成長し、室内熱交換器９から離れた位置の氷は低温に維持されずに一部が解ける。この解けた水滴は送風ファン７に滴下すると第２開口部５ｂから室内に放出される。また、室内熱交換器９の温度が低下してキャビネット２やフロントパネル３の表面が結露して結露水が滴下する。これらにより、室内が浸水する問題があった。また、室内熱交換器９の表面に成長した氷の押圧力によってキャビネット２やフロントパネル３等に破損や変形が発生する問題もあった。
【００１９】
本発明は、快適性の向上及び健康上の安全性の向上を図ることができるとともに、冷却効率または暖房効率を向上することのできる空気調和機を提供することを目的とする。また、本発明は、ショートサーキットを防止して結露による室内の浸水及び空気調和機の破損や変形を防止することのできる空気調和機を提供することを目的とする。
【課題を解決するための手段】
【００２０】
上記目的を達成するために本発明は、室内の壁面に取り付けて、吸込口から取り入れた空気を調和して下部に設けた吹出口から下方及び上方に切り替えて送出する空気調和機において、前記吹出口よりも上方の前面側を遮蔽したことを特徴としている。この構成によると、空気調和機を運転すると、例えば空気調和機の上面側に設けた吸込口から取り込まれた空気が調和されて吹出口から下方に送出され、所定の時期になると吹出口から上方に送出される。上方に送出された調和空気は、空気調和機の前面側から取り込まれることなく室内に流通する。尚、空気調和機の前面側と言う場合には、正面から視認できる傾斜面や曲面が含まれる。
【００２１】
また本発明は、室内の壁面に取り付けて、吸込口から取り入れた空気を調和して下部に設けた吹出口から下方及び上方に切り替えて送出する空気調和機において、前記吹出口よりも上方の前面側に前記吸込口を設け、垂直面に投影して該吸込口の開口面積を前記吹出口よりも上方の投影面積の２０％以下にしたことを特徴としている。この構成によると、吹出口から上方に送出された調和空気は吸込口から空気調和機内への流入が抑制されて室内に流通する。
【００２２】
また本発明は、室内の壁面に取り付けて、吸込口から取り入れた空気を調和して下部に設けた吹出口から下方及び上方に切り替えて送出する空気調和機において、垂直面に投影して、前記吹出口よりも上方の長さを１００％とし、前面側の上から５０％よりも下方を遮蔽したことを特徴としている。この構成によると、吹出口から上方に送出された調和空気は吸込口から空気調和機内への流入が抑制されて室内に流通する。
【００２３】
また本発明は、上記構成の空気調和機において、空気調和機の本体部を保持するキャビネットと、空気調和機本体の前面を覆うフロントパネルとを有し、前記吸込口は前記キャビネットまたは前記フロントパネルに設けた開口部から成ることを特徴としている。
【００２４】
また本発明は、上記構成の空気調和機において、空気調和機の本体部を保持するキャビネットと、空気調和機本体の前面を覆うフロントパネルとを有し、前記吸込口は前記フロントパネルと前記キャビネットの間に設けた隙間から成ることを特徴としている。
【００２５】
また本発明は、上記構成の空気調和機において、空気調和機本体の前面を覆うフロントパネルに結露防止手段を設けたことを特徴としている。この構成によると、吹出口から上方に向けて送出される空気がフロントパネルと接触する。この時、冷房運転または除湿運転が行われるとフロントパネルに対して内側と外側との間に温度差が生じるが結露防止手段により結露が防止される。
【００２６】
また本発明は、室内の壁面に取り付けて、吸込口から取り入れた空気を調和して下部に設けた吹出口から下方及び上方に切り替えて送出する空気調和機において、前記吹出口の一部を覆って前記吹出口から送出される空気の向きを上下方向に可変する案内部材を備え、前記案内部材に結露防止手段を設けたことを特徴としている。この構成によると、空気調和機を運転すると案内部材により吹出口の一部が覆われて調和空気が上方または下方に送出される。案内部材は一方面が案内のため調和空気と接触し、他方面が外気と接触する。この時、冷房運転または除湿運転が行われると案内部材に対して内側と外側との間に温度差が生じるが結露防止手段により結露が防止される。
【００２７】
また本発明は、上記各構成の空気調和機において、前記吹出口から上方に調整空気を送出して冷房運転または除湿運転を行うことを特徴としている。
【発明の効果】
【００２８】
本発明によると、吹出口から下方及び上方に切り替えて送出する空気調和機において、吹出口よりも上方の前面側を遮蔽しているので、使用者に常に冷たい風や暖かい風が当たることがなく、使用者の不快感防止による快適性の向上及び健康上の安全性の向上を図ることができるとともに、ショートサーキットを防止して冷却効率或いは暖房効率を向上させることができる。また、ショートサーキットが発生しないため、冷房運転時や除湿運転時に結露水の凍結及び成長を防止できる。従って、結露水の凍結による氷が解けた水や結露水が室内へ放出されることによる浸水を防止することができるとともに、成長した氷の押圧力による空気調和機の変形や破損を防止することができる。
【００２９】
また本発明によると、吹出口から下方及び上方に切り替えて送出する空気調和機において、吸込口の開口率を２０％以下にしたので、使用者の不快感防止による快適性の向上及び健康上の安全性の向上を図ることができるとともに、ショートサーキットを抑制して冷却効率或いは暖房効率を向上させることができる。更に、結露水や凍結した氷が解けた水が放出されることによる室内の浸水や、成長した氷による空気調和機の変形や破損を防止することができる。
【００３０】
また本発明によると、吹出口から下方及び上方に切り替えて送出する空気調和機において、垂直面に投影して吹出口よりも上方の長さを１００％としたときに、前面側の下方の５０％を遮蔽しているので、使用者の不快感防止による快適性の向上及び健康上の安全性の向上を図ることができるとともに、ショートサーキットを抑制して冷却効率或いは暖房効率を向上させることができる。更に、結露水や凍結した氷が解けた水が放出されることによる室内の浸水や、成長した氷による空気調和機の変形や破損を防止することができる。
【００３１】
また本発明によると、吸込口をフロントパネルとキャビネットの間に設けた隙間により形成するので簡単にショートサーキットを抑制することができる。
【００３２】
また本発明によると、吹出口から下方及び上方に切り替えて送出する空気調和機においてフロントパネル或いは空気の向きを上下方向に可変する案内部材に結露防止手段を設けているので、吹出口から上方に調和空気を送出する際にフロントパネル或いは案内部材の一面が低温の空気と接触し、他面が高温の空気と接触しても結露を防止して結露水の飛散を防止することができる。
【発明を実施するための最良の形態】
【００３３】
以下に本発明の実施形態を図面を参照して説明する。説明の便宜上、従来例の図２７、図２８と同一の部分については同一の符号を付している。図１は第１実施形態の空気調和機の室内機を示す概略側面断面図である。空気調和機の室内機１は、キャビネット２により本体部が保持されている。キャビネット２の上面側には吸込口４が設けられており、前方には前面が遮蔽されたフロントパネル３が着脱自在に取り付けられている。
【００３４】
キャビネット２は後方側面に爪部（不図示）が設けられており、室内の壁に取り付けられる取付板に該爪部を嵌合することにより支持される。フロントパネル３の下端部とキャビネット２の下端部との間隙には、室内機１の幅方向に延びて略矩形の第１、第２開口部５ａ、５ｂから成る吹出口５が形成されている。
【００３５】
室内機１の内部には、吸込口４から吹出口５に連通する送風経路６が形成されている。送風経路６内のキャビネット２の前方には空気を送出する送風ファン７が配されている。送風ファン７として、例えばクロスフローファン等を用いることができる。
【００３６】
フロントパネル３及び吸込口４に対向する位置には、吸込口４から吸い込まれた空気に含まれる塵埃を捕集・除去するエアフィルタ８が設けられている。送風経路６中の送風ファン７とエアフィルタ８との間には、室内熱交換器９が配置されている。フロントパネル３と室内熱交換器９との間には所定間隔の空間が設けられており、吸込口４から取り入れられた空気が該空間を通って室内熱交換器９と広い面積で接触するようになっている。室内熱交換器９は圧縮機（不図示）に接続されており、圧縮機の駆動により冷凍サイクルが運転される。
【００３７】
冷凍サイクルの運転によって、冷房時には室内熱交換器９が周囲温度よりも低温に冷却される。暖房時には、室内熱交換器９が周囲温度よりも高温に加熱される。尚、室内熱交換器９とエアフィルタ８との間には吸い込まれた空気の温度を検知する温度センサ（不図示）が設けられている。
【００３８】
室内熱交換器９の前後の下部には冷房または除湿時に室内熱交換器９から落下した結露水を捕集するドレンパン１０が設けられている。前方のドレンパン１０はフロントパネル３に取り付けられ、後方のドレンパン１０はキャビネット２と一体に形成されている。送風経路６内の吹出口５の第１開口部５ａの近傍には、外部に臨んで垂直方向の吹出角度を略水平乃至下方向に変更可能な横ルーバ１１ａ、１１ｂが設けられている。横ルーバ１１ａ、１１ｂの奥側には左右方向の吹出角度を変更可能な縦ルーバ１２が設けられている。
【００３９】
第２開口部５ｂは送風経路６から上方に傾斜して分岐する分岐通路１３により送風経路６と連通している。分岐通路１３の両端には回動軸１４ａ、１５ａでフロントパネル３に枢支される回動板１４、１５が設けられている。回動板１５により分岐通路１３を閉じると、回動板１５が送風経路６の内壁面を形成して気流を案内する。これにより、送風経路６を流通する空気の流通抵抗の増加を防止するようになっている。
【００４０】
上記構成の空気調和機において、空気調和機の運転を開始すると、送風ファン７が回転駆動され、室外機（不図示）からの冷媒が室内熱交換器９へ流れて冷凍サイクルが運転される。これにより、室内機１内には吸込口４から空気が吸い込まれ、エアフィルタ８によって空気中に含まれる塵埃が除去される。
【００４１】
室内機１内に取り込まれた空気は室内熱交換器９と熱交換し、冷却または加熱される。そして、送風経路６を通って縦ルーバ１２及び横ルーバ１１ａ、１１ｂによって左右及び上下方向に向きを規制されて吹出口５から矢印Ａ１に示すように略水平方向乃至下方向に向けて室内に送出される。
【００４２】
また、空気調和機の運転の開始直後は速やかに室内の空気を循環させる必要がある。このため、送風ファン７の回転速度を高くして室内熱交換器９で熱交換された空気は吹出口５から勢いよく送出される。室温と設定温度との温度差が小さくなったことを温度センサにより検知すると、送風ファン７の制御により徐々に送風量が低下する。
【００４３】
そして、図２に示すように、横ルーバ１１ａ、１１ｂが回動して第１開口部５ａが閉塞される。同時に、回動板１４、１５が回動して第２開口部５ｂ及び分岐通路１３の分岐部分が開放される。これにより、送風経路６を流通する調整空気が分岐通路１３を流通して第２開口部５ｂから送出され、矢印Ａ２に示すように上方に導かれる。従って、使用者に常に冷たい風や暖かい風が当たることがなく、使用者の不快感を防止して快適性を向上することができる。更に、冷房時には局所的に使用者の体温を低下させることがなく健康上の安全性を向上することができる。
【００４４】
また、第２開口部５ｂから上方に送出される調整空気はフロントパネル３の前面を通過するが、フロントパネル３の前面側が遮蔽されているためショートサーキットを生じることがない。従って、空気調和機の冷却効率または暖房効率の低下を防止することができる。
【００４５】
また、ショートサーキットが発生しないため、冷房運転時に結露水の凍結及び成長を防止できる。従って、結露水の凍結による氷が解けた水や結露水が室内へ放出されることによる浸水を防止することができるとともに、成長した氷の押圧力による室内機１の変形や破損を防止することができる。
【００４６】
尚、空気調和機によって除湿運転を行う際も同様に、室内熱交換器９との熱交換により除湿された低温の空気を上方に送出することにより上記と同様の効果を得ることができる。また、空気調和機は、室内熱交換器内に蒸発部と凝縮部とを備えた再熱ドライ方式の除湿装置であってもよい。即ち、再熱ドライ方式の除湿装置は、蒸発部で熱交換により冷却除湿された空気が凝縮部で熱交換により昇温されて室内に送出される。この時、凝縮器で昇温しても尚、体温よりも低温の空気が常に使用者に当たることを防止することができる。
【００４７】
次に、図３は第２実施形態の空気調和機の室内機を示す概略側面断面図である。前述の図１、図２に示す第１実施形態と同様の部分には同一の符号を付している。本実施形態は、フロントパネル３が室内機１の前面側及び上面側を覆うように形成されている。また、フロントパネル３の前面側は遮蔽され、上面側に吸込口４が設けられている。その他の部分は第１実施形態と同一である。
【００４８】
上記と同様に、空気調和機の運転を開始すると、室内機１内に吸込口４から吸い込まれた空気が室内熱交換器９と熱交換し、冷却または加熱される。そして、送風経路６を通って縦ルーバ１２及び横ルーバ１１ａ、１１ｂによって左右及び上下方向に向きを規制されて吹出口５から矢印Ａ１に示すように略水平方向乃至下方向に向けて室内に送出される。
【００４９】
室温と設定温度との温度差が小さくなったことを温度センサにより検知すると、送風ファン７の調整により徐々に送風量が低下する。そして、図４に示すように、横ルーバ１１ａ、１１ｂが回動して第１開口部５ａが閉塞される。同時に、回動板１４、１５が回動して第２開口部５ｂ及び分岐通路１３の分岐部分が開放される。これにより、送風経路６を流通する調整空気は分岐通路１３を流通して第２開口部５ｂから矢印Ａ２に示すように上方に送出される。
【００５０】
従って、第１実施形態と同様に、使用者に常に冷たい風や暖かい風が当たることがなく、使用者の不快感を防止して快適性を向上するとともに、冷房時には局所的に使用者の体温を低下させることがなく健康上の安全性を向上することができる。また、フロントパネル３の前面側が遮蔽されているためショートサーキットを生じることがなく、空気調和機の冷却効率または暖房効率の低下を防止することができる。更に、結露水や凍結した氷が解けた水による室内の浸水や、成長した氷による空気調和機の変形や破損を防止することができる。
【００５１】
次に、図５は第３実施形態の空気調和機の室内機を示す概略側面断面図である。前述の図１、図２に示す第１実施形態と同様の部分には同一の符号を付している。第１実施形態と異なる点は、フロントパネル３の上部に吸込口４ａを設けている点である。その他の部分は第１実施形態と同一である。
【００５２】
空気調和機の運転を開始すると、室内機１内に吸込口４、４ａから吸い込まれた空気が室内熱交換器９と熱交換し、冷却または加熱される。そして、送風経路６を通って縦ルーバ１２及び横ルーバ１１ａ、１１ｂによって左右及び上下方向に向きを規制されて吹出口５から矢印Ａ１に示すように略水平方向乃至下方向に向けて室内に送出される。
【００５３】
室温と設定温度との温度差が小さくなったことを温度センサにより検知すると、送風ファン７の調整により徐々に送風量が低下する。そして、図６に示すように、横ルーバ１１ａ、１１ｂが回動して第１開口部５ａが閉塞される。同時に、回動板１４、１５が回動して第２開口部５ｂ及び分岐通路１３の分岐部分が開放される。これにより、送風経路６を流通する調整空気は分岐通路１３を流通して第２開口部５ｂから矢印Ａ２に示すように上方に送出される。
【００５４】
従って、第１実施形態と同様に、使用者に常に冷たい風や暖かい風が当たることがなく、使用者の不快感を防止して快適性を向上するとともに、冷房時には局所的に使用者の体温を低下させることがなく健康上の安全性を向上することができる。
【００５５】
また、第２開口部５ｂから送出された調整空気の一部は矢印Ａ３に示すようにフロントパネル３に設けられた吸込口４ａから室内機１内に取り込まれてショートサーキットが生じる。しかしながら、本実施形態は以下の方法によりショートサーキットの発生を抑制している。
【００５６】
図７はショートサーキットの風量と吸込口４ａの開口率との関係を示している。横軸は開口率（単位：％）を示している。開口率は垂直面に投影した際に、吹出口５よりも上方の投影面積に対する吸込口４ａの開口面積の割合により表している。縦軸はショートサーキットの風量を示しており、開口率５０％の時のショートサーキットの風量を１としたときの比により表している。また、垂直面に投影して吹出口５よりも上方の長さを１００％とし、上から５０％の位置を中心にして上下略対称に分散して吸込口を配置した時の実験データを示している。
【００５７】
同図によると、開口率の増加に伴ってショートサーキットの風量が増加する。前述の図２７、図２８に示す従来例の開口率は約５０％になっている。開口率を２０％以下にするとショートサーキットの風量が従来の１／２以下になる。従って、本実施形態は、吸込口４ａの開口率を２０％以下に形成することによって、従来よりも著しくショートサーキットの発生を抑制することができる。
【００５８】
また、図８はショートサーキットの風量と吸込口４ａの位置との関係を示している。縦軸はショートサーキットの風量を示しており、垂直面に投影して吹出口５よりも上方の長さを１００％とし、上から５０％の位置を中心に上下略対称に分散して開口率５０％の吸込口を配置した時のショートサーキットの風量を１としている。
【００５９】
横軸は吸込口４ａの位置を示している。吸込口４ａの位置は、垂直面に投影して、室内機１の上から吸込口４ａの下端までの距離を吹出口５よりも上方の室内機１の長さに対する比（単位：％）により表している。また、図７の結果から、開口率が２０％の吸込口４ａの位置を可変したときの実験データを示している。
【００６０】
同図によると、吸込口４ａを上方に配置するほどショートサーキットの風量が減少する。そして、吸込口４ａの位置が上から６０％と５０％との間でショートサーキットの風量が急激に減少する。従って、本実施形態は、吸込口４ａを室内機１の上から５０％以内に設け、下方を遮蔽することによって更にショートサーキットの発生を抑制することができるようになっている。
【００６１】
これにより、従来よりも空気調和機の冷却効率を向上させることができる。また、室内機１の上面が室内の天井と接近している場合には上面の吸込口４から取り込まれる空気量が減少しても前方に面して設けられる吸込口４ａから空気を取り込むことができ、送風効率の低下を防止することができる。また、本実施形態に示すように、上方へ行くほど後方へ傾斜する傾斜面３ａ（図６参照）に吸込口４ａを形成することにより、ショートサーキットを更に抑制することができる。
【００６２】
次に、図９は第４実施形態の空気調和機の室内機を示す概略斜視図である。前述の図５、図６に示す第３実施形態と同様の部分には同様の符号を付している。第３実施形態と異なる点は、フロントパネル３には左右方向に分離した複数の吸込口４ａを上下に２列設けている点である。他の部分は第３実施形態と同一である。
【００６３】
吸込口４ａ及び吸込口４から室内機１内に取り込まれた空気は吹出口の第１開口部５ａから矢印Ａ１に示すように略水平方向乃至下方に送出される。室温と設定温度との温度差が小さくなったことを温度センサにより検知すると、図１０に示すように、第１開口部５ａが閉塞される。同時に、第２開口部５ｂが開放され、第２開口部５ｂから矢印Ａ２に示すように調整空気が上方に送出される。
【００６４】
本実施形態は吸込口４ａの開口率が２０％以下になっている。また、垂直面に投影して吹出口よりも上方の室内機１の長さを１００％としたときに上から５０％以内に下段の吸込口４ａの下端が設けられ、フロントパネル３の下方が遮蔽されている。従って、第３実施形態と同様にショートサーキットの発生を抑制し、空気調和機の冷却効率または暖房効率を向上させることができる。更に、開口率を２０％以下に保持しつつ吸込口４ａの形状を自由に形成することができるため、室内機１の外観の美観を向上させることができる。
【００６５】
次に、図１１は第５実施形態の空気調和機の室内機を示す概略側面断面図である。前述の図５、図６に示す第３実施形態と同様の部分には同一の符号を付している。第３実施形態と異なる点は、吸込口４ａが、フロントパネル３の上端とキャビネット２の上面部２ａとの間に設けられた隙間により形成されている点である。その他の部分は第３実施形態と同一である。
【００６６】
吸込口４ａ及び吸込口４から室内機１内に取り込まれた空気は吹出口５の第１開口部５ａから矢印Ａ１に示すように略水平方向乃至下方に送出される。室温と設定温度との温度差が小さくなったことを温度センサにより検知すると、図１２に示すように、横ルーバ１１ａ、１１ｂにより第１開口部５ａが閉塞される。同時に、回動板１４、１５の回動により第２開口部５ｂ及び分岐通路１３が開放され、第２開口部５ｂから矢印Ａ２に示すように調整空気が上方に送出される。
【００６７】
本実施形態は吸込口４ａの開口率が２０％以下になっている。また、垂直面に投影して吹出口よりも上方の室内機１の長さを１００％としたときに上から５０％以内に吸込口４ａの下端が設けられ、フロントパネル３の下方が遮蔽されている。従って、第３実施形態と同様にショートサーキットの発生を抑制し、空気調和機の冷却効率または暖房効率を向上させることができる。
【００６８】
次に、図１３は第６実施形態の空気調和機の室内機の一部を示す概略斜視図である。前述の図１１、図１２に示す第５実施形態と同様の部分には同一の符号を付している。第５実施形態と異なる点は、回動軸１６ａによりフロントパネル３の側面部（不図示）に枢支される開閉扉１６を吸込口４ａに設けている点である。その他の部分は第５実施形態と同一である。
【００６９】
開閉扉１６により吸込口４ａが開放されると、室内の空気が吸込口４ａ及び吸込口４から室内機１内に取り込まれる。室内機１内に取り込まれた空気は吹出口５の第１開口部５ａから矢印Ａ１に示すように略水平方向乃至下方に送出される。室温と設定温度との温度差が小さくなったことを温度センサにより検知すると、図１４に示すように、横ルーバ１１ａ、１１ｂにより第１開口部５ａが閉塞される。同時に、回動板１４、１５の回動により第２開口部５ｂ及び分岐通路１３が開放され、第２開口部５ｂから矢印Ａ２に示すように調整空気が上方に送出される。
【００７０】
この時、開閉扉１６が回動して吸込口４ａが閉塞される。従って、上方に送出される調和空気のショートサーキットを防止して冷却効率または暖房効率を向上させることができる。
【００７１】
また、図１５、図１６の第７実施形態に示すように、開閉扉１６は回動軸１６ａを下端に配置して回動できるようにしても同様の効果を得ることができる。更に、図１７、図１８の第８実施形態に示すように、スライド移動して吸込口４ａを開閉する開閉扉１７を設けてもよい。
【００７２】
次に図１９は第９実施形態の空気調和機を示す概略斜視図である。前述の図１３、図１４に示す第６実施形態と同様の部分には同様の符号を付している。第６実施形態と異なる点は、開閉扉１６（図１３参照）に替えて、蛇腹状に折り畳んで左右方向に開閉できる開閉部材１８を設けている点である。他の部分は第６実施形態と同一である。
【００７３】
開閉部材１８を折り畳んで開き、吸込口４ａ及び吸込口４から室内機１内に取り込まれた空気は吹出口の第１開口部５ａから矢印Ａ１に示すように略水平方向乃至下方に送出される。室温と設定温度との温度差が小さくなったことを温度センサにより検知すると、図２０に示すように、第１開口部５ａが閉塞される。同時に、第２開口部５ｂが開放され、第２開口部５ｂから矢印Ａ２に示すように調整空気が上方に送出される。この時、開閉部材１８を閉じて吸込口４ａが閉塞され、ショートサーキットを防止するようになっている。
【００７４】
次に、図２１は第１０実施形態の空気調和機の室内機を示す概略側面断面図である。前述の図１、図２に示す第１実施形態と同様の部分には同一の符号を付している。本実施形態は、フロントパネル３、ドレンパン１０、回動板（案内部材）１４、１５及び横ルーバ（案内部材）１１ａ、１１ｂに発泡樹脂等から成る断熱材２１を固着している点である。その他の部分は第１実施形態と同一である。
【００７５】
空気調和機の運転を開始すると、室内機１内に吸込口４から吸い込まれた空気が室内熱交換器９と熱交換し、冷却または加熱される。そして、送風経路６を通って縦ルーバ１２及び横ルーバ１１ａ、１１ｂによって左右及び上下方向に向きを規制されて吹出口５から矢印Ａ１に示すように略水平方向乃至下方向に向けて室内に送出される。
【００７６】
室温と設定温度との温度差が小さくなったことを温度センサにより検知すると、送風ファン７の調整により徐々に送風量が低下する。そして、図２２に示すように、横ルーバ１１ａ、１１ｂが回動して第１開口部５ａが閉塞される。同時に、回動板１４、１５が回動して第２開口部５ｂ及び分岐通路１３の分岐部分が開放される。これにより、送風経路６を流通する調整空気は分岐通路１３を流通して第２開口部５ｂから矢印Ａ２に示すように上方に送出される。
【００７７】
この時、冷房運転や除湿運転時においてフロントパネル３の背面側は熱交換前の空気と接触する。フロントパネル３の前面側は第２開口部５ｂから送出される冷却された空気と接触するため背面側よりも低温となる。このため、フロントパネル３の両面に温度差が生じるが、断熱材２１により断熱しているため結露を防止して結露水の室内への飛散を防止することができる。
【００７８】
同様に、第２開口部５ｂから調和空気を送出する際には回動板１４、１５及び横ルーバ１１ａ、１１ｂの一方の面が高温の空気と接触し、他方の面が低温の空気と接触する。しかし、断熱材２１により断熱しているため結露を防止することができる。
【００７９】
従って、第１実施形態と同様の効果を得ることができるとともに、簡単な構成により結露を防止して室内への結露水の飛散を防止することができる。また、第２〜第９実施形態の空気調和機においても同様に断熱材２１を設けることができる。更に、前述の図２７、２８に示す従来例の空気調和機おいても同様に、回動板１４、１５及び横ルーバ１１ａ、１１ｂに断熱材２１を設けることによって結露を防止する効果を得ることができる。尚、結露防止のためにフロントパネル３、回動板１４、１５及び横ルーバ１１ａ、１１ｂにヒータ等の加熱装置を設けてもよい。
【００８０】
次に図２３は第１１実施形態の空気調和機の室内機を示す概略側面断面図である。前述の図２１、図２２に示す第１０実施形態と同様の部分には同一の符号を付している。本実施形態は、フロントパネル３が中空部３ｂを有するように成形加工されている。これにより、断熱材２１（図２１参照）に替えて中空部３ｂ内の空気が断熱材となっている。また、回動板１４、１５及び横ルーバ１１ａ、１１ｂには起毛布から成る断熱材２２を固着している。その他の部分は第１０実施形態と同一である。
【００８１】
このような構成によっても、第１０実施形態と同様に第２開口部５ｂから調整空気を送出する際に結露を防止することができ、より低温の空気を送出することができる。また、中空のフロントパネル３により結露を防止できるため、部品点数を削減することができる。更に、起毛布から成る断熱材２２により、結露を防止できるとともに、送風時の空力音を低減することができる。
【００８２】
第１０、第１１実施形態において、回動板１４、１５または横ルーバ１１ａ、１１ｂを中空に形成してもよい。例えば、図２４は中空に形成した横ルーバ１１ａを示す斜視図である。横ルーバ１１ａは、断面Ｕ字型に形成され、中空部１１ｃの空気層から成る断熱材と一体化されている。これにより、断熱による結露防止を図ることができるとともに、部品点数を削減することができる。
【００８３】
また、図２５に示すように、中空部１１ｃを密閉してもよい。この時、中空部１１ｃを真空に形成すると断熱効果をより向上させることができる。更に、中空部１１ｃにシリカ等の粉末を充填して所謂、粉末真空断熱処理を施してもよい。このようにすると、より低温の調整空気を送出することが可能となる。
【００８４】
また、フロントパネル３、回動板１４、１５あるいは横ルーバ１１ａ、１１ｂの表面に、断熱材として断熱塗料を塗布してもよい。断熱塗料として、例えば、旭硝子コートアンドレジン（株）製のテンプレックス（登録商標）等を用いることができる。これにより、接着剤の削減や貼り付けの手間の削減によるコスト削減を図ることができる。尚、第１１実施形態のフロントパネル３の中空部３ｂを真空にしてもよい。
【産業上の利用可能性】
【００８５】
本発明によると、空気を調和して送出する空気調和機に利用することができる。
【図面の簡単な説明】
【００８６】
【図１】本発明の第１実施形態の空気調和機の室内機を示す概略側面断面図である。
【図２】本発明の第１実施形態の空気調和機の室内機の動作を示す概略側面断面図である。
【図３】本発明の第２実施形態の空気調和機の室内機を示す概略側面断面図である。
【図４】本発明の第２実施形態の空気調和機の室内機の動作を示す概略側面断面図である。
【図５】本発明の第３実施形態の空気調和機の室内機を示す概略側面断面図である。
【図６】本発明の第３実施形態の空気調和機の室内機の動作を示す概略側面断面図である。
【図７】本発明の第３実施形態の空気調和機の室内機の吸込口の開口率とショートサーキット風量との関係を示す図である。
【図８】本発明の第３実施形態の空気調和機の室内機の吸込口の位置とショートサーキット風量との関係を示す図である。
【図９】本発明の第４実施形態の空気調和機の室内機を示す斜視図である。
【図１０】本発明の第４実施形態の空気調和機の室内機の動作を示す斜視図である。
【図１１】本発明の第５実施形態の空気調和機の室内機を示す概略側面断面図である。
【図１２】本発明の第５実施形態の空気調和機の室内機の動作を示す概略側面断面図である。
【図１３】本発明の第６実施形態の空気調和機の室内機を示す概略側面断面図である。
【図１４】本発明の第６実施形態の空気調和機の室内機の動作を示す概略側面断面図である。
【図１５】本発明の第７実施形態の空気調和機の室内機を示す概略側面断面図である。
【図１６】本発明の第７実施形態の空気調和機の室内機の動作を示す概略側面断面図である。
【図１７】本発明の第８実施形態の空気調和機の室内機を示す概略側面断面図である。
【図１８】本発明の第８実施形態の空気調和機の室内機の動作を示す概略側面断面図である。
【図１９】本発明の第９実施形態の空気調和機の室内機を示す斜視図である。
【図２０】本発明の第９実施形態の空気調和機の室内機の動作を示す斜視図である。
【図２１】本発明の第１０実施形態の空気調和機の室内機を示す概略側面断面図である。
【図２２】本発明の第１０実施形態の空気調和機の室内機の動作を示す概略側面断面図である。
【図２３】本発明の第１１実施形態の空気調和機の室内機を示す概略側面断面図である。
【図２４】本発明の第１０、１１実施形態の空気調和機の室内機の横ルーバの他の形態を示す斜視図である。
【図２５】本発明の第１０、１１実施形態の空気調和機の室内機の横ルーバの更に他の形態を示す斜視図である。
【図２６】従来の空気調和機の室内機を示す概略側面断面図である。
【図２７】他の従来の空気調和機の室内機を示す概略側面断面図である。
【図２８】他の従来の空気調和機の室内機の動作を示す概略側面断面図である。
【符号の説明】
【００８７】
１    室内機
２    キャビネット
３    フロントパネル
３ｂ、１１ｃ  中空部
４、４ａ  吸込口
５    吹出口
５ａ  第１開口部
５ｂ  第２開口部
６    送風経路
７    送風ファン
８    エアフィルタ
９    室内熱交換器
１０    ドレンパン
１１ａ、１１ｂ  横ルーバ（案内部材）
１２    縦ルーバ
１３    分岐通路
１４、１５  回動板（案内部材）
１６、１７  開閉扉
１８    開閉部材
２１、２２  断熱材
【図１】
2006226672.tif 000003
【図２】
2006226672.tif 000004
【図３】
2006226672.tif 000005
【図４】
2006226672.tif 000006
【図５】
2006226672.tif 000007
【図６】
2006226672.tif 000008
【図７】
2006226672.tif 000009
【図８】
2006226672.tif 000010
【図９】
2006226672.tif 000011
【図１０】
2006226672.tif 000012
【図１１】
2006226672.tif 000013
【図１２】
2006226672.tif 000014
【図１３】
2006226672.tif 000015
【図１４】
2006226672.tif 000016
【図１５】
2006226672.tif 000017
【図１６】
2006226672.tif 000018
【図１７】
2006226672.tif 000019
【図１８】
2006226672.tif 000020
【図１９】
2006226672.tif 000021
【図２０】
2006226672.tif 000022
【図２１】
2006226672.tif 000023
【図２２】
2006226672.tif 000024
【図２３】
2006226672.tif 000025
【図２４】
2006226672.tif 000026
【図２５】
2006226672.tif 000027
【図２６】
2006226672.tif 000028
【図２７】
2006226672.tif 000029
【図２８】
2006226672.tif 000030